(57)【要約】【課題】カレンダーなどの被収納物を容易に収納、取出しができ、搬送時に被収納物の端部などを損傷するおそれがなく、被収納物の未収時はシート状にして容易に搬送、保管ができる。【解決手段】ケース本体２０は矩形形状の段ボール板体を長手方向の折り込み線部に沿って順次折り込んで形成した上面部６，１０、一方側面部７、底面部８及び他方側面部９と、底面部８の両端部から両側面部７，９の幅方向の寸法に合わせた位置の幅方向の端面形成折り込み線部とこの端面形成折り込み線部の両端部からこの両側面部７，９の端縁部に向う傾斜状の折り込み線部とに沿って折り込んで形成した端面部１４とを有している。ケース本体２０の上面部６，１０及び両側面部７，９の両端部にて端面部１４より外方に突出する突出部２４を設ける。【選択図】　　　　図１
2004026164.tif 000002
【特許請求の範囲】
【請求項１】
段ボールにて形成したケース本体の長手方向の両端部に端面部より外方に突出する突出部を一体に形成したことを特徴とする配送ケース。
【請求項２】
矩形形状の段ボール板体を長手方向の折り込み線部に沿って折り込んで順次形成した上面部、一方側面部、底面部及び他方側面部と、この段ボール板体の底面部の両端部から両側面部の幅方向の寸法に合わせた位置の幅方向の端面形成折り込み線部とこの端面形成折り込み線部の両端部からこの両側面部の端縁部に向う傾斜状の折り込み線部とに沿って折り込んで形成した端面部とを有するケース本体を備え、
このケース本体の両端部に、前記上面部及び両側面部の両端部にて一体に形成されかつ前記端面部より外方に突出する突出部を設けたことを特徴とする配送ケース。
【発明の詳細な説明】
【０００１】
【発明の属する技術分野】
本発明は、カレンダー、ポスターなど巻き込んで収納包装し、郵便または宅配便にて配送することに適した配送ケースに関する。
【０００２】
【従来の技術】
従来一般に、カレンダーなどの配送に用いる配送ケースは、細長筒状に形成され、カレンダーなどを巻き込んでケース本体の長手方向の端面から挿入するようにした構成が採られていた。
【０００３】
【発明が解決しようとする課題】
上記従来の細長筒状の配送ケースでは、ケース本体の長手方向の一端開口部からカレンダーなどの被収納物を巻き込んで挿入するため、被収納物の収納に手数が掛かり、また、被収納物の取出しも容易にできなかった。
【０００４】
さらに、搬送時にケース本体の端部が他の搬送物との接触などで損傷し易く、被収納物の端部などに潰れ痕などが生じる問題があった。
【０００５】
また、従来の細長筒状の配送ケースでは、被収納物の未収納状態時でもケース本体は組み立てられており、搬送、保管時に嵩張り、広い保管スペースを必要としていた。
【０００６】
本発明は、上記問題点に鑑みなされたもので、カレンダーなどの被収納物を容易に収納、取出しができ、搬送時に被収納物の端部などを損傷するおそれがなく、被収納物の未収納時はシート状にして容易に搬送、保管ができる配送ケースを提供するものである。
【０００７】
【課題を解決するための手段】
請求項１記載の発明の配送ケースは、段ボールにて形成したケース本体の長手方向の両端部に端面部より外方に突出する突出部を一体に形成したものである。
【０００８】
そして、ケース本体の両端部に端面部より外方に突出する突出部により、搬送時にケース本体の端面部に直接衝撃が加わることがなく、被収納物の端部などに潰れ痕など損傷が生じることがない。
【０００９】
請求項２記載の発明の配送ケースは、矩形形状の段ボール板体を長手方向の折り込み線部に沿って折り込んで順次形成した上面部、一方側面部、底面部及び他方側面部と、この段ボール板体の底面部の両端部から両側面部の幅方向の寸法に合わせた位置の幅方向の端面形成折り込み線部とこの端面形成折り込み線部の両端部からこの両側面部の端縁部に向う傾斜状の折り込み線部とに沿って折り込んで形成した端面部とを有するケース本体を備え、このケース本体の両端部に、前記上面部及び両側面部の両端部にて一体に形成されかつ端面部より外方に突出する突出部を設けたものである。
【００１０】
そして、ケース本体は一方側面部、底面部及び他方側面部と、さらに上面部と順次折り込み、さらに、端面部を折り込むことにより簡単に組み立てられ、しかも、広い開口部から被収納物の収納、取出しが容易にでき、また、ケース本体の組立てによりケース本体の両端部に端面部より外方に突出する突出部が形成され、突出部を形成するための折り込み操作を必要とせず、搬送時にケース本体の端面部に直接衝撃が加わることがなく、被収納物の端部などに潰れ痕など損傷が生じることがない。
【００１１】
【発明の実施の形態】
次に、本発明の配送ケースの一実施の形態を図面に基いて説明する。
【００１２】
図３に示すように、矩形形状の段ボール板体１には長手方向の第１ないし第４の折り込み線部２，３，４，５がこの段ボール板体１の幅方向に等間隔に形成されている。この段ボール板体１の一方外縁部と第１の折り込み線部２との間にて内側上面部６が、第１の折り込み線部２と第２の折り込み線部３との間にて一方側面部、例えば左側面部７が、第２の折り込み線部３と第３の折り込み線部４との間にて底面部８が、第３の折り込み線部４と第４の折り込み線部５との間にて他方側面部、例えば右側面部９が、この第４の折り込み線部５と他方外縁部の間にて外側上面部１０がそれぞれ形成される。
【００１３】
この段ボール板体１の底面部８の両端部から両側面部７，９の幅方向の寸法ｌ１に合わせた寸法ｌ１の位置の幅方向に向う端面形成折り込み線部１１とこの端面形成折り込み線部１１のそれぞれ両端部からこの両側面部７，９の内側上面部６と外側上面部１０との隣接端縁部に向う傾斜状の折り込み線部１２，１３とに沿って折り込んで形成する端面部１４が形成される。
【００１４】
そして、前記段ボール板体１の両端面部１４の折り込み形成によって、この端面部１４から外方に突出する両上面部６，１０、両側面部７，９の両端部にて三角形状の突出部２４が形成される。
【００１５】
また、前記段ボール板体１の外側上面部１０の外縁中央部には係合突片１６が突設され、前記内側上面部６と左側面部７との間の第１の折り込み線部２上の中央部に位置して前記係合突片１６を差込み係合する係合溝１７が形成されている。なお、係合突片１６は外側上面部１０の外縁部に形成した折り込み線１８から折り曲げられるようになっている。
【００１６】
次ぎに、この実施の形態の作用を説明する。
【００１７】
図２に示すように、段ボール板体１を第２及び第３の折り込み線部３，４に沿って折り込んで順次左側面部７、底面部８及び右側面部９を形成し、さらに、第１及び第４の折り込み線部２，５から折り込み、内側上面部６を形成するとともに内側上面部６に外側上面部１０を重ね合わせる。この状態で細長矩形状のケース本体２０が組み立てられる。
【００１８】
また、このケース本体２０の組み立て過程において、この段ボール板体１の底面部８の両端部に形成した端面形成折り込み線部１１からそれぞれ内側に折り曲げると、両端面部１４が形成されるとともに、左右側面部７，９の両端部は傾斜状の折り込み線部１２，１３から三角形状に折り曲げられて互いに内面が重なり合い、このケース本体２０の両端面部１４，１４より外方に向って両側面部７，９の端部にて三角形状の突部２１，２２が形成され、また、前記内側上面部６及び外側上面部１０の両端部が両端面部１４，１４より外方に突出する矩形形状の突部２３が形成され、この三角形状の突部２１，２２と矩形形状の突部２３とにてケース本体２０の両端部に端面部１４，１４より外方に突出する突出部２４が一体に形成させる。
【００１９】
そして、カレンダー、ポスターなどの被収納物を収納する際には、段ボール板体１を折り込みながら、内側上面部６及び外側上面部１０が開いている状態で収納してから、内側上面部６及び外側上面部１０を第１及び第４の折り込み線部２，５から折り込み、内側上面部６を形成するとともに内側上面部６に外側上面部１０を重ね合わせ、係合突片１６を係合溝１７に差込み係合する。
【００２０】
ケース本体２０は左側面部７、底面部８及び右側面部９とさらに両上面部６，１０と順次折り込み、また、端面部１４を折り込むことにより突出部２４が形成され、突出部２４を形成するための折り込み操作を必要とせず、簡単に組み立てられる。
【００２１】
さらに、端面部１４より広い面積の上面開口部か被収納部の収納、取出しができ、被収納部の収納、取出しが容易にできる。
【００２２】
また、搬送時にケース本体２０の端部が他の搬送物と接触しても、端面部１４より外方に突出した突出部２４によりケース本体２０の端面部１４に直接衝撃が加わることがなく、被収納物の端部などに潰れ痕など損傷が生じることがない。
【００２３】
さらに、ケース本体２０は被収納物の収納前は、段ボール板体１の状態でシート状となっており、搬送、保管が容易にできる。
【００２４】
なお、前記実施の形態では、カレンダー、ポスターなどに適した細長矩形形状としたが、被収納物に応じた形状とすることができ、配送時にケース本体の角部などに掛かる衝撃で破損し易い書籍、ＣＤ盤などの搬送ケースとして適用できる。
【００２５】
なお、前記突出部２４の突部２１，２２の形状は三角形状に限られるものでない。
【００２６】
【発明の効果】
請求項１記載の発明によれば、搬送時にケース本体の端面部より外方に突出した突出部にケース本体の端面部に直接衝撃が加わることがなく、被収納物の端部などに損傷が生じることがない。
【００２７】
請求項２記載の発明によれば、ケース本体は一方側面部、底面部及び他方側面部と、さらに上面部と順次折り込み、さらに、端面部を折り込むことにより簡単に組み立てられ、しかも、広い開口部から被収納物の収納、取出しが容易にでき、また、ケース本体の組立てによりケース本体の両端部に端面部より外方に突出する突出部が形成され、突出部を形成するための折り込み操作を必要とせず、搬送時にケース本体の端面部に直接衝撃が加わることがなく、損傷が生じることがない。端面部より広い面積の上面開口部から被収納部の収納、取出しが容易にでき、さらに、ケース本体は被収納物の収納前は、段ボール板体の状態でシート状となっており、搬送、保管が容易にでき、カレンダー、ポスター、書籍、ＣＤ盤など破損し易い各種物品の搬送に適している。
【図面の簡単な説明】
【図１】本発明の一実施の形態を示す配送ケースの斜視図である。
【図２】同上配送ケースの組み立て過程を示す斜視図である。図である。
【図３】同上配送ケースの展開図である。
【符号の説明】
１　　段ボール板体
２，３，４，５　　折り込み線部
６，１０　　上面部
７，９　　側面部
８　　底面部
１１　　端面形成折り込み線部
１２，１３　　傾斜状の折り込み線部
１４　　端面部
２０　　ケース本体
２４　　突出部
【図１】
2004026164.tif 000003
【図２】
2004026164.tif 000004
【図３】
2004026164.tif 000005